(57)【要約】【課題】  本発明は、ブロックマット１を吊り上げて下ろす場合に、荷重が軽くしかも滑り落ちることもなく、下ろした後も残った鉄製パレット等の大きな保管スペースを必要としないブロックマット１の吊り上げ方法を提供すること。【解決手段】ブロックマット１の吊り上げ方法であって、複数の吊り上げ用のループ部を備えたフレキシブルなハンモックの上に複数のブロックマット１を載置し、該ハンモック２に備わった複数のループ部２１に吊り上げ具に備わった複数の吊り下げ用のフック部を掛止し、その後、吊り上げるブロックマット１の吊り上げ方法。【選択図】図１
2011179206.tif 000002
【特許請求の範囲】
【請求項１】
ブロックマットの吊り上げ方法であって、ハンモックに複数のブロックマットを載置し、該ハンモックを吊り上げ具で吊り上げることを特徴とするブロックマットの吊り上げ方法。
【請求項２】
ブロックマットの吊り上げ方法であって、複数の吊り上げ用のループ部を備えたフレキシブルなハンモックの上に複数のブロックマットを載置し、該ハンモックに備わった複数のループ部に吊り上げ具に備わった複数の吊り上げ用のフック部を掛止し、その後、吊り上げることを特徴とするブロックマットの吊り上げ方法。
【請求項３】
ブロックマットの周囲より外方の余ったハンモックの部分を積載されたブロックマットの周囲を包み込むような状態にすることを特徴とする請求項１、２記載のブロックマットの吊り上げ方法。
【請求項４】
ハンモックは繊維製ロープで格子状に形成され全体として矩形状であり、周囲にループ部が設けられていることを特徴とする請求項１，２記載の吊り上げ方法。
【請求項５】
ハンモックは繊維製ロープで格子状に形成され全体として矩形状であり、その対向縁辺にループ部が設けられていることを特徴とする請求項１，２記載の吊り上げ方法。
【請求項６】
ブロックマットの布帛シートの突出片をブロックマット間に挟み込むことを特徴とする請求項１，２記載のブロックマットの吊り上げ方法。
【請求項７】
ハンモックはポリエチレン繊維よりなることを特徴とする請求項１，２記載のブロックマットの吊り上げ方法。
【請求項８】
吊り上げ具は、矩形の枠体を有し、該枠体にフックが設けられていることを特徴とする請求項２記載のブロックマットの吊り上げ方法。
【発明の詳細な説明】
【技術分野】
【０００１】
本発明は、ブロックマットの吊り上げ方法に関し、更に詳しくは、ハンモックを使ったブロックマットの吊り上げ方法に関する。
【背景技術】
【０００２】
土木業界においては、コンクリートマットが、河川護岸の根固め工、法覆い工、道路法面盛土又は切り土法尻押さえ等の施工に用いられている（特許文献１、特許文献２参照）。
これらの施工においては、現場までブロックマットを搬送する必要がある。  
そのため、運搬用の大型トラックの荷台にブロックマットを吊り上げて載置する。
一般に行われているブロックマットの吊り上げ方法では、まずブロックマットよりやや大きい広さを有する矩形の鉄製パレット（載せ台）を用意する。  
そしてこの重い鉄製パレットを荷台の上に吊り上げて載せる。
これにブロックマットを一枚一枚、クレーンで次々に吊り上げて載置していく。
クレーンで吊り上げる場合は、ブロックマットの両端を専用工具で把持して吊り上げる。
そして多数のブロックマット、例えば５枚を載置する。
その後、載置した最上位のブロックマットの上に更に鉄製パレットを載置する。
そしてまた５枚のブロックマットを載置し、これを繰り返すと荷台には多数枚（例えば３回の繰り返しで１５枚）のブロックマットが積み上がる。
このように一定枚数積み上げた後、運搬用の大型トラックにより現場に移動される。
現場では、積み上げられたブロックマットを荷台から一枚一枚吊り上げては下ろさなければならない。
しかし現場での作業なので荷台から下ろす場合は、迅速に効率良く行わなければならない。
【０００３】
現場で下ろす場合は、迅速に行うため、一枚一枚吊り上げながら下ろすのではなく、上面平面の鉄製パレットに積載した５枚のブロックマット単位ごと吊り上げて下ろす。
しかし、この方法は、１トン以上の鉄製パレットを使うため、積載荷重が非常に大きくなる欠点がある。
しかも鉄製パレットは厚さがあるので、積み上げた場合に嵩高にもなり、吊り上げるには枚数に限度がある。
また鉄製パレットは、平面なので傾くとブロックマットがずれて鉄製パレットの周辺から一部が垂れ下がったり、極端にはブロックマットが落下する欠点がある。
また、このような問題が生じないようにするには、鉄製パレットにブロックマットをワイヤー等で固定する必要があるが、その作業が面倒でありまた危険でもある。
更にまた別の意味では、施工後も広い面積の鉄製パレットが現場に残るため、載置スペースが必要である。
また、鉄製パレットは鉄製で荷重が嵩むので搬送も厄介でコストもかかる。
すなわち回収時にはクレーン車を準備して積載する必要がある。
【先行技術文献】
【特許文献】
【０００４】
【特許文献１】特開平１１−３０３０８６号公報
【特許文献２】特開２００６−２４１９６８号公報
【発明の概要】
【発明が解決しようとする課題】
【０００５】
本発明は、上記のような技術的な背景をもとになされたものである。
すなわち本発明の目的は、ブロックマット１を吊り上げて下ろす場合に、荷重が軽くしかも滑り落ちることもなく、下ろした後も残った鉄製パレット等の大きな保管スペースを必要としないブロックマット１の吊り上げ方法を提供することである。
【課題を解決するための手段】
【０００６】
本発明者は、上記課題を解決するため鋭意検討したところ、吊り上げる際、鉄製パレットを使わないで、ハンモック２を使うことで、軽量化でき、空中でブロックマット１が安定することを見出し、本発明を完成するに至った。
【０００７】
すなわち、本発明は、（１）、ブロックマット１の吊り上げ方法であって、ハンモック２に複数のブロックマット１を載置し、該ハンモック２を吊り上げ具で吊り上げるブロックマット１の吊り上げ方法に存する。
【０００８】
また、本発明は、（２）、ブロックマット１の吊り上げ方法であって、複数の吊り上げ用のループ部を備えたフレキシブルなハンモックの上に複数のブロックマット１を載置し、該ハンモック２に備わった複数のループ部２１に吊り上げ具に備わった複数の吊り下げ用のフック部を掛止し、その後、吊り上げるブロックマット１の吊り上げ方法に存する。
【０００９】
また、本発明は、（３）、ブロックマット１の周囲より外方の余ったハンモック２の部分を積載されたブロックマット１の周囲を包み込むような状態にする上記（１）、（２）記載のブロックマット１の吊り上げ方法に存する。
【００１０】
また、本発明は、（４）、ハンモック２は繊維製ロープで格子状に形成され全体として矩形状であり、周囲にループ部２１が設けられている上記（１）、（２）記載の吊り上げ方法に存する。
【００１１】
また、本発明は、（５）、ハンモック２は繊維製ロープで格子状に形成され全体として矩形状であり、その対向縁辺にループ部２１が設けられている上記（１）、（２）記載の吊り上げ方法に存する。
【００１２】
また、本発明は、（６）、ブロックマット１の布帛シートの突出片をブロックマット１間に挟み込む上記（１），（２）記載のブロックマット１の吊り上げ方法に存する。
【００１３】
また、本発明は、（７）、ハンモック２はポリエチレン繊維よりなる上記（１），（２）記載のブロックマット１の吊り上げ方法に存する。
【００１４】
また、本発明は、（８）、吊り上げ具は、矩形の枠体を有し、該枠体にフックが設けられている上記（２）記載のブロックマット１の吊り上げ方法に存する。
【００１５】
なお、本発明の目的に添ったものであれば、上記（１）から（８）を適宜組み合せた構成も採用可能である。
【発明の効果】
【００１６】
１）本発明のブロックマット１の吊り上げ方法は、フレキシブルな（屈曲可能な）ハンモック２にブロックマット１を載置し、該ハンモック２を吊り上げ具で吊り上げるので、従来のような鉄製パレットを使う必要がなく荷重が軽減化される。
そのため、一回に吊り上げるブロックマットの枚数を多くできる。またハンモック２は折り畳みが可能であるため鉄製パレットのように保管場所を広く必要としない。
またハンモック２は鉄製ではないため１０ｋｇ程度であり、人力で小さく梱包しトラック荷台に積載することが可能である。
【００１７】
２）また、複数の吊り上げ用のループ部２１を有するフレキシブルなハンモック２に複数のブロックマット１を載置し、該ハンモック２のループ部２１に吊り上げ具に備わった複数の吊り下げ用のフック部３１を掛止し、その後、吊り上げるので、ブロックマット１は均等に吊り上げられ、しかも吊り上げた姿勢も安定する。
また、フレキシブルなハンモック２がブロックマット１の周囲を包み込むように作用するのでブロックマット１がずれたりしない。
また、フック部がループ部に引っかけ易い。
更に、下ろす場合は、下ろす位置面が傾斜していても徐々に接地していけるため横滑りしない。
また位置面に多少の凹凸があってもハンモック２がそれに沿って馴染むため問題はない。
因みに鉄製パレットの場合は傾斜があり横滑りする。凹凸があると不安定となる。
ハンモックは折り畳みができるので現場での保管にスペースがいらない。
【図面の簡単な説明】
【００１８】
【図１】図１は、本発明の第１の実施の形態におけるブロックマットの吊り上げ方法を説明する概略図である。
【図２】図２は、吊り上げ対象となるブロックマットを示す平面図である。
【図３】図３は、吊り上げ対象となるブロックマットを示す側面図である。
【図４】図４は、ハンモックを説明する平面図である。
【図５】図５は、ハンモック上にブロックマットを載せる位置を示した平面図である。
【図６】図６は、この吊り上げ具を示した図である。
【図７】図７は、第２の実施の形態のハンモックを説明する概略図である。
【発明を実施するための形態】
【００１９】
〔第１の実施の形態〕
以下、図面を用いて本発明を実施するための形態について説明する。
図１は、本発明のブロックマット１の吊り上げ方法を説明する概略図であり、ブロックマット１が、ハンモック２に載せられて吊り上げられる状態を示す。
【００２０】
図２は、吊り上げ対象となるブロックマット１を示す平面図であり、図３は側面図である。
なお、便宜的に、ブロックマットに取り付けられているブロックは図１より少ないもので示した。
ブロックマット１は、矩形の屈曲性のある基布シート１１（編地シート、織地シート、不織布シート）の上に４角錐台のブロック１２が複数個（例えば６０個）取り付け固定されているものである。
このブロックマット１は、先述したように、河川や海岸の護岸用等に敷設されるものであり、例えば長さが６メートル、幅が１、６メートル等の長い矩形状（長方形状）である。
一方、ハンモック２は、ブロックマット１を載せて吊り上げるために使う。
【００２１】
図４は、そのハンモック２を説明する平面図である。
ハンモック２は、格子状の繊維製ロープ２２で形成され全体として矩形状となっている。
そのため荷重が極めて軽い（例えば１０ｋｇ程度）。
そして周縁部の繊維製ロープ２２には、間隔をおいて吊り上げ用のループ部２１が設けられているが、図では、ハンモック２の対向する２つの縁辺（ここでは長縁辺）に沿うようにループ部２１が設けられた例を示した。
このループ部２１には、次に述べる吊り上げ具３のフック部３１が挿入されて掛止される。
なお、ハンモック２を構成している繊維製ロープ２２は、編紐（ロープ）が使われ、その材質は綿、麻等天然繊維或いはポリエステル、ポリアミド、炭素等の化学繊維が採用される。
また、ハンモック２は繊維製ロープ２２を格子を形成するように結合した手作りでもよいし、編機で編成したものでもよい。
【００２２】
図５は、ハンモック上にブロックマット１を載せる位置（鎖線で領域を示す）を示したものである。
このような位置にブロックマット１を載せて吊り上げた場合、ブロックマット１の周囲より外方の余ったハンモック２の部分２Ｘが積載されたブロックマット１の周囲を包み込むように作用する。
このような状態になることが後述するようにブロックマット１の吊り上げ方法として大きな利点となる。
ここで吊り上げ具３は、矩形状の鋼製枠体よりなり該枠体にはフック部３１が
ロープを介して垂下するように複数個設けられている（図１参照）。
そして一枚一枚、順次、吊り上げていき、複数のブロックマット１、例えば５枚を載置する。
その後、載置した最上位のブロックマット１の上に更に別のハンモック２を載置する。
そしてまた複数のブロックマット１を、順次、載置していく。
【００２３】
図６は、この吊り上げ具３を示した図である。
吊り上げ具３に備わったフック部３１は、好ましくは、ハンモック２のループ部２１に対応する位置にあり、その数も対応する数となっていることが好ましい。
なお、吊り上げ具自体はクレーン等によりそれと一体となって吊り上げられる。
【００２４】
（吊り上げ方法）
次に、ブロックマット１を荷台から地面に下ろすために吊り上げる方法を述べる。
本発明では、荷台からブロックマット１を下ろすために、荷台から吊り上げる際、上述したようなフレキシブルな（屈曲可能な）ハンモック２を使う。
すなわちハンモック２の上に複数のブロックマット１を載置した状態（図１参照）で、該ハンモック２を一挙に吊り上げ具３で吊り上げる方法を採用する。
【００２５】
本発明の吊り上げ方法を適用する前に、まず、運搬車の荷台に一定枚数のブロックマット１を載せなければならない。
それには、ブロックマット１よりやや大きい広さを有するハンモック２を用意する。
そして該ハンモック２を荷台に広げるように載せ、この上にブロックマット１をクレーン等を使って吊り上げて載置する。
【００２６】
なお、その際、ブロックマット１の基布シート１１の両端の余剰片１１Ｘを上下のブロックマット１間に挟むことが好ましい。
これを繰り返すと荷台には多数枚（例えば３回の繰り返しで計１５枚）のブロックマット１が積み上がることとなる。
このように荷台にハンモック単位（例えばブロックマット５枚）で複数回積み上げられた後、運搬車は現場に移動される。
現場では、ハンモック毎に積み上げられたブロックマット１をハンモック単位で吊り上げて荷台から下ろさなければならない。
ここで本発明の吊り上げ方法が採用される。
フレキシブルな（屈曲可能な）ハンモック２に複数のブロックマット１を載置した状態で、該ハンモック２を吊り上げ具で吊り上げるのである。
吊り上げる場合は、該ハンモック２の各ループ部２１に吊り上げ具３の各フック部３１を掛止する。
その際、繊維製ロープで形成されたループ部２１も垂下されたフック部３１もそれぞれ自由に動くので相互に引っ掛け易い。
そして吊り上げ具３を上昇させてハンモック２と共に一挙に多数枚（例えば５枚）のブロックマット１を吊り上げる。
【００２７】
ハンモック２に設けられた複数のループ部２１によりブロックマット１の荷重が支えられているので、均等に吊り上げられることとなる。
また、ハンモック２はフレキシブルであるためブロックマット１の周囲を包み込むように作用して、ブロックマット１の位置が安定する。
また、ハンモック２の繊維製ロープ２２がブロック間で基布シート１１に食い込むので、従来のような鉄製パレットを使った場合のように、ブロックマット１の一部が垂れ下がったり、滑って落下するようなことがない。
ヤード（置き場）にこれを下ろす場合は、下ろす地面が傾斜していても徐々にブロックマット１を接地させていくことができる。
また、下ろす面に多少の凹凸があってもハンモック２がそれに沿って馴染むため問題はない。
従来のような鉄製パレットの場合はそもそも傾斜面に置きにくいし、また凹凸により不安定となる。
【００２８】
さて５枚のブロックマット１を吊り上げて下ろした後は、更にその下にある５枚のブロックマット１を載置したハンモック２を下ろし、以下、この作業を３回行うと、計１５枚の全部のブロックマット１が荷台から吊り下ろされたことになる。
このように、荷台からハンモック単位（例えばブロックマット５枚）で何回か吊り上げて地面に下ろす。一枚一枚吊り上げて下ろしていくよりは、迅速で極めて効率的である。
【００２９】
〔第２の実施の形態〕
図７は、第２の実施の形態を説明する概略図である。
この実施の形態はハンモック２のループ部２１の備わっている位置が周縁部全域（２つの短縁辺と２つの長縁辺）にまである例である。
この場合は、それに対応するように、吊り上げ具３のフック部３１も枠全体に設けられているものを使用する。
ハンモック２は、ブロックマット１の周囲全体（長縁辺及び短縁辺）を包み込むように作用するため、吊り上げて移動する場合に縦横の滑りが無くブロックマット位置がより安定することとなる。
【００３０】
〔第３の実施の形態〕
この実施の形態は吊り上げ具３のフック部３１の数と、ハンモック２のループ部２１の数とが異なった場合の例である。
ハンモック２のループ部２１の数より吊り上げ具３のフック部３１の数が多くなっている。
従って、この吊り上げ具３は、使用するハンモック２のループ部２１が異なっても対応できる自由度がある。
この場合に、吊り上げ具３のフック部３１やハンモック２のループ部２１の位置や数は、相対する長縁辺でも良いし周縁辺全域に設けられてもよい。
以上、本発明を述べたが、本発明は、これらに限定されることはなく、発明の目的を達成できる限り、種々の変形が可能である。
例えば、フック部３１や、ループ部２１の数は適宜調整可能である。
ハンモック２の形もブロックマット１の周囲を包み込むようにできるものであれば、必ずしも矩形に限らなくてもよい。
【産業上の利用可能性】
【００３１】
本発明は、ブロックマットの吊り上げ方法及びハンモックを使ったブロックマットの吊り上げ方法に関するもので、フレキシブルな（屈曲可能な）ハンモックにブロックマットを載置し、該ハンモックを吊り上げるので効果的な積み下ろしが可能である。
したがって、ブロックマットのように重量が嵩み一枚状の屈曲性があるものならば同様な吊り上げ方法が採用でき、他の運搬方法にも活用可能である。
【符号の説明】
【００３２】
１…ブロックマット
１１…基布シート
１２…ブロック
２…ハンモック
２１…ループ部
２２…繊維製ロープ
３…吊り上げ具
３１…フック部
４…荷台
【図１】
2011179206.tif 000003
【図２】
2011179206.tif 000004
【図３】
2011179206.tif 000005
【図４】
2011179206.tif 000006
【図５】
2011179206.tif 000007
【図６】
2011179206.tif 000008
【図７】
2011179206.tif 000009